(57)【特許請求の範囲】
【請求項１】
光源部と、
入力された映像信号に基づいて、前記光源部から出射された光を変調するための光変調部と、
前記光変調部により変調された光を投写するための投写部と、
前記光源部から出射された光の光路に設けられ、前記光源部からの光を遮断可能に構成されたシャッター機構と、
前記シャッター機構の動作指令に応じて、所定期間後にシャッター機構の閉動作を行なって光を遮断する第１のモードと、直ちにシャッター機構の開動作を行って光が透過できるようにする第２のモードとを切換えるとともに、
前記第１のモードにおける前記シャッター機構の閉動作までの所定期間、及び前記第２のモードにおける前記シャッター機構の開動作後の所定期間において、前記投写部から投写された光によって表示される映像に視覚効果を生じさせるように前記映像信号を調整するように構成される制御部と、を備え、
前記視覚効果は、前記映像の明るさが時間とともに明るくなるフェードイン効果および前記映像の明るさが時間とともに暗くなるフェードアウト効果であって、前記第１のモードにおけるシャッター機構の閉動作までの所定期間にフェードアウト効果を、前記第２のモードにおけるシャッター機構の開動作後の所定期間にフェードイン効果を付与する、投写型映像表示装置。
【請求項２】
ユーザの操作によって前記視覚効果の継続時間を設定することができる設定部をさらに備える、請求項１に記載の投写型映像表示装置。
【請求項３】
前記制御部は、前記映像信号の明るさに関連する信号のレベルを制御することによって、前記視覚効果を生じさせる、請求項１または２のいずれか１項に記載の投写型映像表示装置。
【請求項４】
前記映像信号の明るさに関連する信号は、前記映像のコントラストを調整するための信号である、請求項３に記載の投写型映像表示装置。
【発明の詳細な説明】
【技術分野】
【０００１】
この発明は、投写型映像表示装置に関し、より特定的には、シャッター機能を備える投写型映像表示装置の制御に関する。
【背景技術】
【０００２】
投写型映像表示装置（以下、プロジェクタとも称する。）においては、映像を表示する光路上に光遮断機構（シャッター機構）が設けられるものがある。このようなプロジェクタにおいては、映像表示中であっても、シャッター機構を閉止することによって、表示映像を遮断することが可能である。
【０００３】
特開２００４−２１９９４５号公報（特許文献１）には、投射型表示装置において、主電源オフ時に、投射レンズを保護して塵埃の堆積を防止する目的として、投射レンズの上部に投射レンズの表面を覆うための開閉可能なシャッターを備える構成が開示される。また、特開２００４−２１９９４５号公報（特許文献１）においては、シャッターを閉塞する場合に、主電源がオフされてランプが消灯することによって、結果として画像が黒の状態となった後にシャッターの閉塞動作を行なうことが記載されている。
【先行技術文献】
【特許文献】
【０００４】
【特許文献１】特開２００４−２１９９４５号公報
【発明の概要】
【発明が解決しようとする課題】
【０００５】
特許文献１におけるシャッターは、主電源オフ時の投射レンズの保護を目的としたものであるが、このようなシャッター機能は、上述のように、映像表示中に表示されている映像を瞬時に隠すための機能として用いられる場合がある。
【０００６】
このように、シャッター機能を、映像を遮断するための機能として用いる場合、シャッターを閉じる瞬間にシャッター動作が見えてしまい、映像を視聴している人に違和感を与えてしまうおそれがある。
【０００７】
本発明は、このような課題を解決するためになされたものであって、その目的は、シャッター機構を備える投写映像表示装置において、シャッター機構の動作時に視聴者に与える違和感を低減することである。
【課題を解決するための手段】
【０００８】
本発明のある局面に従う投写映像表示装置は、光源部と、光変調部と、投写部と、光遮断部と、制御部とを備える。光変調部は、入力された映像信号に基づいて、光源部から出射された光を変調する。投写部は、光変調部により変調された光を投写する。光遮断部は、光源部から出射された光の光路に設けられ、光源部からの光を遮断可能に構成される。制御部は、光遮断部の動作指令に応じて、光遮断部により光を遮断する第１のモードと光を透過する第２のモードとを切換えるとともに、動作指令に応じて、投写部から投写された光によって表示される映像に視覚効果を生じさせるように映像信号を調整する。
【０００９】
このような構成の投写製造表示装置によれば、光遮断部によって、光源部からの光を遮断する第１のモードと、光源部からの光を透過する第２のモードとの切換えが可能である。そして、光遮断部の動作指令に応じて、入力された映像信号が、投写部から投写された光によって表示される映像に視覚効果を生じさせるように調整される。このように、光遮断部の動作にともなって、表示される映像に積極的に視覚効果を与えることによって、光遮断部の動作が視聴者に見えにくくなるようにすることができ、光遮断部の動作時に視聴者に与える違和感を低減することが可能になる。
【００１０】
好ましくは、視覚効果は、映像の明るさが時間とともに明るくなるフェードイン効果および映像の明るさが時間とともに暗くなるフェードアウト効果の少なくとも一方を含む。
【００１１】
このような構成とすることによって、光を遮断する場合には、映像の明るさを時間とともに暗くし、光を透過させる場合には、映像の明るさを時間とともに明るくするような視覚効果を与えることが可能になる。これによって、光遮断部の動作にともなう急激な明るさの変化を防止することができる。
【００１２】
好ましくは、映像表示装置は、ユーザの操作によって視覚効果の継続時間を設定することができる設定部をさらに備える。
【００１３】
このような構成とすることによって、視覚効果の継続時間を、ユーザの使用形態に応じて適宜設定することが可能となる。ユーザの使用形態によっては、視覚効果をできるだけゆっくりと設定することが望ましい場合や、逆に視覚効果をあまり長く継続することが、その後の他の機器の動作との関係で好ましくない場合があり得る。そのため、このように、ユーザの使用形態に応じて視覚効果の継続時間を設定可能な構成とすることによって、光遮断部の動作時に視聴者に与える違和感をより適切に低減することが可能になる。
【００１４】
好ましくは、制御部は、映像信号の明るさに関連する信号のレベルを制御することによって、視覚効果を生じさせる。
【００１５】
このような構成とすることによって、視覚効果として映像信号の明るさを調整することが可能となる。これによって、光遮断部の動作が見えないように調整すること、および、明るさの急激な変化を抑制することが可能となる。
【００１６】
好ましくは、映像信号の明るさに関連する信号は、映像のコントラストを調整するための信号である。
【００１７】
このような構成とすることによって、光遮断部の動作時に表示される映像のコントラストを調整することが可能となる。
【００１８】
好ましくは、制御部は、動作指令に応答して第１のモードに切換える場合は、映像信号の明るさに関連する信号のレベルを低下させるとともに、映像の明るさに関連する信号のレベルが基準値を下回ったことに基づいて第１のモードに切換える。また、制御部は、動作指令に応答して第２のモードに切換える場合は、映像信号の明るさに関連する信号のレベルが基準値を下回っている状態で光遮断部を第２のモードに切換えるとともに、光遮断部を第２のモードに移行したことに基づいて映像信号の明るさに関連する信号のレベルを上昇させる。
【００１９】
このような構成とすることによって、光遮断部によって光を遮断する場合には、映像の明るさが十分に暗くなった後に光を遮断し、光を透過する場合には、映像の明るさが暗い状態で光が透過され、その後に映像の明るさを明るくすることができる。これによって、光遮断部の動作が見えないようにできるとともに、光遮断部の動作時における明るさの急激な変化を抑制することが可能となる。
【発明の効果】
【００２０】
本発明による投写映像表示装置においては、シャッター機構の動作時に視聴者に与える違和感を低減することが可能となる。
【図面の簡単な説明】
【００２１】
【図１】本発明の実施の形態に係る投写型映像表示装置の概略構成図である。
【図２】図１におけるカラーホイールの概略構成図である。
【図３】本実施の形態におけるプロジェクタの画像処理の制御構造を示す機能ブロック図である。
【図４】コントラストの出力とゲインとの関係を説明するための図である。
【図５】本実施の形態における、シャッター機構開閉時の制御動作を説明するためのタイムチャートである。
【図６】本実施の形態における、シャッター機構制御処理の詳細を説明するためのフローチャートである。
【発明を実施するための形態】
【００２２】
以下、本発明の実施の形態について、図面を参照しながら詳細に説明する。なお、図中の同一または相当する部分には同一符号を付してその説明は繰り返さない。
【００２３】
［投写型映像表示装置の基本構造の説明］
図１は、この発明の実施の形態１に係る投写型映像表示装置（以下、「プロジェクタ」とも称する。）の主要部の構成を模式的に示す図である。
【００２４】
図１を参照して、プロジェクタは、光源から入射した照明光を反射型の光変調素子を用いて反射光として変調するタイプのプロジェクタであって、光学エンジン１と、投写レンズ２２とを備え、その外郭を筐体（図示せず）で覆われている。なお、プロジェクタは、スピーカ等の音声を出力するための構成要素や、光学エンジン１の構成要素および音声出力手段を電気的に接続するための回路基板なども搭載されているが、図１では、これらを含む一部の構成要素の図示は省略されている。
【００２５】
光学エンジン１は、光源ランプ１０と、コンデンサレンズ１２と、カラーホイール１４と、ロッドインテグレータ１６と、光変調素子１８と、内部全反射（Total Internal Rejection：ＴＩＲ）プリズム２０と、シャッター機構３０とを備える。
【００２６】
光源ランプ１０は、たとえば超高圧水銀ランプ、メタルハライドランプ、キセノンランプなどからなる。光源ランプ１０は、筐体に対して着脱自在な状態で装着されている。光源ランプ１０から出射された光は、コンデンサレンズ１２に入射される。
【００２７】
コンデンサレンズ１２は、光源ランプ１０から入射された光に集光作用を付与する。コンデンサレンズ１２を透過した光は、カラーホイール１４に入射する。
【００２８】
カラーホイール１４は、光源ランプ１０から出射された光を受けて、複数の色光を順に出射する。具体的には、カラーホイール１４は、光源ランプ１０の光軸に平行な回転軸１４２を含む。回転軸１４２は、図示しないモータに連結されており、当該モータを回転駆動することによって、カラーホイール１４は回転軸１４２を中心として回転する。
【００２９】
図２は、回転軸方向から見たカラーホイール１４の平面図である。
図２を参照して、カラーホイール１４は、回転軸１４２を中心とする円周方向に並べて配置された、カラーフィルタ１４４，１４６，１４８を含む。
【００３０】
カラーフィルタ１４４，１４６，１４８は、それぞれ単一の色光を出射する。具体的には、カラーフィルタ１４４は、光源ランプ１０からの光を受けて、赤色波長域の光（以下、「Ｒ光」とも称する。）を出射する。カラーフィルタ１４６は、光源ランプ１０からの光を受けて、緑色波長域の光（以下、「Ｇ光」とも称する。）を出射する。カラーフィルタ１４８は、光源ランプ１０からの光を受けて、青色波長域の光（以下、「Ｂ光」とも称する。）を出射する。
【００３１】
したがって、カラーホイール１４が回転軸１４２を中心にして回転することにより、カラーホイール１４からはＲ光、Ｇ光、Ｂ光がその順に周期的に出射される。これにより、ロッドインテグレータ１６には、Ｒ光、Ｇ光、Ｂ光が時分割で切換えて入射される。
【００３２】
なお、３色の色光の出射の順番は、カラーホイール１４の構成に応じて任意である。また、出射する色光は、Ｒ，Ｇ，Ｂの３色に限定されるものではなく、４色以上の色光を周期的に出射することも可能である。この場合、複数の色光にそれぞれ対応する複数のカラーフィルタの角度範囲は、複数の色光を混合する比率に応じて調整される。
【００３３】
上述の、光源ランプ１０、コンデンサレンズ１２およびカラーホイール１４によって、光源部２４が構成される。
【００３４】
再び図１を参照して、カラーホイール１４から周期的に出射されるＲ光、Ｇ光およびＢ光は、ロッドインテグレータ１６の一方の端部に入射されると、ロッドインテグレータ１６の内部を伝搬してロッドインテグレータ１６の他方の端部から出射される。
【００３５】
ロッドインテグレータ１６から出射された光は、ＴＩＲプリズム２０を介して光変調素子１８の光入射面に導かれる。
【００３６】
光変調素子１８は、ＤＭＤ（Digital Micromirror Device）（ＴＩ社の登録商標）であり、複数の微小ミラーによって構成されている。複数の微小ミラーは可動式であり、各微小ミラーの角度を変更することによって、ＴＩＲプリズム２０から受けた光を投写レンズ２２側に反射するか否かを切換える。このようにして各微小ミラーを駆動して反射角度を変更することによって出射光の輝度を変調する。
【００３７】
光変調素子１８は、カラーホイール１４が回転することによってＲ光、Ｇ光およびＢ光が順に出射されるタイミングに同期して、各微小ミラーを制御する。すなわち、映像信号に基づいて、カラーホイール１４による色光の出射タイミングと同期して各微小ミラーを駆動させ、各色光を投写レンズ２２へ反射させる割合を変化させることによって、投写面Ｓ上に投写される各画素の色および輝度を変化させる。
【００３８】
光変調素子１８で反射された色光は、投写レンズ２２を経てスクリーン等の投写面Ｓに投写される。投写面Ｓには、カラーホイール１４の回転に応じて、Ｒ、Ｇ、Ｂの色光による画像が順に投写される。投写面Ｓ上に投写される各色の色光による画像は、人間の目には、それらの色光による画像が重ね合わせて生成されるカラー画像として認識される。
【００３９】
シャッター機構３０は、光変調素子１８から投写レンズ２２までの光路上に設けられる。シャッター機構３０は、図示しない制御部からの制御信号によって制御されて、光変調素子１８からの光の透過と遮断とを切換える。シャッター機構３０の構造は、光の透過と遮断とが切換えられる構造であれば、その構造に限定されない。シャッター機構３０の具体的な構造としては、たとえば、映像の上下方向あるいは左右方向にシャッター幕を開閉することによって光の透過と遮断とを切換えるいわゆるギロチン型のシャッターや、ルーバの開閉によって光の透過と遮断とを切換えるルーバ型のシャッターを採用することができる。または、２つの偏向板の偏向角度を変更させることによって光の透過と遮断とを切換える手法を採用することも可能である。
【００４０】
なお、図１においては、シャッター機構３０の位置は、光変調素子１８から投写レンズ２２までの光路上に設けられる例が示されるが、シャッター機構３０の位置は、これに限定されることなく、光源ランプ１０からの光の透過と遮断とが切換可能であれば、光源ランプ１０から出射された光の光路上のどこの位置に配置されてもよい。
【００４１】
このように、光源ランプからの光が遮断可能なシャッター機構を備えるプロジェクタにおいては、シャッター機構が動作する際に、シャッターの動作が映像に表示されてしまう場合がある。そうすると、表示されたシャッター動作の映像によって視聴者に違和感を与えてしまうおそれがある。また、シャッター機構によって光が瞬時に遮断されてしまうと、表示されている映像が瞬間的に暗くなるので、視聴者が残像感を感じてしまうおそれがある。さらに、シャッター機構を非遮断状態した場合に、表示映像が急激に明るくなってしまい、視聴者がまぶしさを感じてしまうおそれがある。
【００４２】
そこで、本実施の形態においては、上述のようなシャッター機構の備えるプロジェクタにおいて、シャッター機構の動作にともなって、表示させる映像に積極的に視覚効果を付与するシャッター開閉制御を行なう。これによって、シャッター機構の動作時に視聴者へ与える違和感を低減することが期待できる。
【００４３】
［制御構造の説明］
図３は、本実施の形態におけるプロジェクタの画像処理の制御構造を示す機能ブロック図である。
【００４４】
図３を参照して、プロジェクタは、図１で説明した構成に加えて、ユーザにより操作可能な設定部５０と、光変調素子１８およびシャッター機構３０を制御するための制御部１００とをさらに備える。
【００４５】
設定部５０は、ユーザからの各種設定情報を入力するためのものである。設定部５０としては、図示しないが、操作ボタンや操作パネルなどを含んで構成される。または、リーモートコントローラ（「リモコン」とも称する。）によるユーザからの操作信号を無線によって受信する構成としてもよい。
【００４６】
設定部５０によって設定される情報としては、たとえば、表示される映像の状態（明るさ、色調、表示形状など）を調整するための映像調整指令や、シャッター機構３０の動作指令、および後述するシャッター機構制御におけるタイマーなどの各種設定情報などが含まれる。
【００４７】
制御部１００は、操作信号入力部１１０と、シャッター制御部１２０と、映像信号入力部１３０と、映像調整部１４０と、表示制御部１５０とを含む。なお、制御部１００に含まれる各機能ブロックは、制御部１００によるハードウェア的あるいはソフトウェア的な処理によって実現される。
【００４８】
操作信号入力部１１０は、設定部５０から、上述のような各種設定情報を受信する。そして、受信した情報を、シャッター制御部１２０および映像調整部１４０へ出力する。
【００４９】
映像信号入力部１３０は、図示しない外部機器（たとえば、パソコン、ビデオ再生機、テレビなど）から受信した映像信号を受ける。そして、映像信号入力部１３０は、受信した映像信号を映像調整部１４０に出力する。
【００５０】
映像調整部１４０は、操作信号入力部１１０からの各種設定情報、および映像信号入力部１３０で受信した外部機器からの映像信号を受ける。映像調整部１４０は、操作信号入力部１１０からの映像調整指令に基づいて、映像信号入力部１３０からの映像信号を調整し、調整後の映像信号を表示制御部１５０へ出力する。
【００５１】
また、映像調整部１４０は、上述のように操作信号入力部１１０からのシャッター機構３０の動作に関する情報を受けると、予め定められた視覚効果を生じるように、映像信号を調整する。そして、映像調整部１４０は、この視覚効果にともなうシャッター機構３０の動作タイミングに関する信号をシャッター制御部１２０へ出力する。
【００５２】
ここで、映像調整部１４０によって行なわれる視覚効果としては、たとえば、表示される映像の明るさが時間とともに明るくなるフェードイン効果、および、表示される映像の明るさが時間とともに暗くなるフェードアウト効果を採用することができる。このとき、映像の明るさの調整手法としては、たとえば、光源ランプ１０の明るさを変更させたり、映像の明度やγ値を変更させたりするなどの様々な手法を用いることができるが、映像のコントラストを変更する手法を用いることがより好適である。コントラストの変更をする場合は、映像の中の明るい部分および暗い部分の明るさを一律に変化させることができ、映像の明るさが暗くなっても、他の手法に比べて映像が比較的はっきり見えるようにすることができる。
【００５３】
この映像のコントラストの具体的な調整手法の一例を図４に示す。図４を参照して、映像調整部１４０においては、入力された映像信号の各画素の明るさをたとえば０から２５５までの階調で示した場合に、それぞれの階調に対する出力は、図４における実線の直線のように線形となるように設定される。このときのゲイン（すなわち、傾きに相当）を変更することによって、映像の明るさを全体的に明るくしたり暗くしたりすることが可能になる。コントラストのゲインは、たとえば、「０」から「１」までの数値で与えられ、「０」のときには映像の明るさが最も暗くなり、「１」のときには映像の明るさが最も明るくなるように設定される。
【００５４】
再び図３を参照して、表示制御部１５０は、映像調整部１４０によって調整された映像信号を受ける。そして、表示制御部１５０は、受信した映像信号に基づいて、光変調素子１８を駆動するための駆動信号を生成して、その駆動信号を光変調素子１８へ出力する。光変調素子１８は、表示制御部１５０からの駆動信号に従って、各微小ミラーを駆動する。
【００５５】
シャッター制御部１２０は、操作信号入力部１１０からのシャッター機構３０の動作に関する情報、および、映像調整部１４０からの動作タイミングに関する信号を受ける。シャッター制御部１２０は、たとえば、シャッター機構３０を強制的に操作する場合などには、操作信号入力部１１０からの信号に従ってシャッター機構３０を駆動するための制御信号を生成し、シャッター機構３０を駆動するためのアクチュエータ（図示せず）にその信号を出力する。
【００５６】
また、シャッター制御部１２０は、視覚効果をともなってシャッター機構３０を動作させる場合には、映像調整部１４０からの動作タイミングに関する信号に従ってシャッター機構３０を駆動するための制御信号を生成する。
【００５７】
［シャッター開閉制御の説明］
図５は、本実施の形態における、シャッター機構開閉時の制御動作を説明するためのタイムチャートである。図５においては、横軸に時間が示され、縦軸には、シャッター動作指令、コントラストゲインおよびシャッターの動作状態が示される。
【００５８】
図１および図５を参照して、図５中の時刻ｔ１までは、シャッター機構３０が開放状態で、かつコントラストゲインが「１」の状態、すなわちプロジェクタからの映像が表示されている状態である。
【００５９】
時刻ｔ１において、ユーザの操作や他の機器からの制御信号によって、シャッター機構３０を閉止する動作指令が受信されると、まずコントラストゲインが、時間とともに減少するように変更される。これによって、表示されている映像の明るさが徐々に暗くなるフェードアウト効果が得られる。
【００６０】
そして、コントラストゲインが所定の基準値Ｇｔｈを下回ると（図５中の時刻ｔ２）、実際にシャッター機構３０が駆動されてシャッター機構３０が閉止される。これによって、光源ランプ１０からの光がシャッター機構３０によって遮断され、映像が表示されなくなる。なお、シャッター機構３０が閉止された後も、コントラストゲインは「０」となるまで継続して減少される。このように、シャッター機構３０が閉止状態であるときには、基本的には、コントラストゲインは「０」に維持される。
【００６１】
一方、再び映像を表示するために、シャッター機構３０を開放する動作指令が受信されると、コントラストゲインは「０」に状態のまま、まずシャッター機構３０が開放される。これによって、光源ランプからの光が透過できるようになるが、コントラストゲインが依然として「０」のために、表示される映像の明るさは暗いままである。
【００６２】
そして、シャッター機構３０が開放されたことに応じて、コントラストゲインが時間とともに増加するように変更される。これによって、表示される映像の明るさが徐々に明るくなるフェードイン効果が得られる。そして、時刻ｔ４においてコントラストゲインが１となったところで、コントラストゲインの増加が停止される。
【００６３】
このような、動作シーケンスとすることによって、シャッター機構３０を閉止する場合には、フェードアウト効果によって徐々に映像の明るさが暗くなった後にシャッター機構３０が閉止される。さらに、シャッター機構３０を開放する場合には、映像が暗い状態でシャッター機構３０が開放された後に、フェードイン効果によって映像の明るさが徐々に明るくなる。その結果、シャッター機構３０の動作時において、シャッター機構３０の形状が表示されることを防止でき、さらにフェードイン，フェードアウト効果の視覚効果によって、映像の明るさの急激な変化を抑制することができるので、シャッター機構３０の開閉時に、視聴者に与える違和感を低減することが可能となる。
【００６４】
なお、図５においては、コントラストゲインを直線的に変化させる場合を例として示したが、コントラストゲインは曲線状や階段状に変化させるようにしてもよい。
【００６５】
また、コントラストゲインの変更時間（図５中の時刻ｔ１からｔ２までの時間、および、時刻ｔ３からｔ４までの時間）についても、視聴者に与える影響および同時に使用する他の機器の動作状態などの関係から、適切な値を選択することができる。たとえば、コントラストゲインの変更時間としては、１秒，４秒などが選択され得る。さらに、視覚効果を実行しないように設定することも可能である。
【００６６】
図６は、本実施の形態における、制御部１００で実行される、シャッター機構制御処理の詳細を説明するためのフローチャートである。図６に示すフローチャートは、制御部１００に予め格納されたプログラムを所定周期で実行することによって実現される。あるいは、一部のステップについては、専用のハードウェア（電子回路）を構築して処理を実現することも可能である。
【００６７】
図３および図６を参照して、制御部１００は、ステップ（以下、ステップをＳと略す。）１００において、シャッター機構３０の動作指令が開指令であるか否かを判定する。
【００６８】
シャッター機構３０の動作指令が開指令である場合（Ｓ１００にてＹＥＳ）は、処理がＳ１１０に進められ、制御部１００は、次にコントラストゲインが基準値Ｇｔｈ以下であるか否かを判定する。
【００６９】
コントラストゲインが基準値Ｇｔｈより大きい場合（Ｓ１１０にてＮＯ）は、制御部１００は、Ｓ１４０にて、コントラストゲインを低下させた後に、再度Ｓ１１０に処理を戻し、再度コントラストゲインが基準値Ｇｔｈ以下であるか否かを判定する。そして、コントラストゲインが基準値Ｇｔｈ以下となるまでＳ１４０およびＳ１１０が繰り返される。
【００７０】
コントラストゲインが基準値Ｇｔｈ以下の場合（Ｓ１１０にてＹＥＳ）は、Ｓ１２０に処理が進められ、制御部１００は、アクチュエータに制御信号を出力してシャッター機構３０を開放する。
【００７１】
そして、制御部１００は、Ｓ１３０にて、コントラストゲインが１となるまで、時間とともにコントラストゲインを増加させる。
【００７２】
一方、シャッター機構３０の動作指令が開指令でない場合、すなわちシャッター機構３０の動作指令が閉指令である場合（Ｓ１００にてＮＯ）は、処理がＳ１５０に進められ、制御部１００は、コントラストゲインを時間とともに低下させる。
【００７３】
そして、制御部１００は、Ｓ１６０にて、コントラストゲインが基準値Ｇｔｈ以下であるか否かを判定する。
【００７４】
コントラストゲインが基準値Ｇｔｈより大きい場合（Ｓ１５０にてＮＯ）は、Ｓ１５０に処理が戻され、コントラストゲインの低下が継続される。
【００７５】
コントラストゲインが基準値Ｇｔｈ以下の場合（Ｓ１５０にてＹＥＳ）は、Ｓ１７０に処理が進められ、制御部１００は、アクチュエータに制御信号を出力してシャッター機構３０を閉止する。
【００７６】
［発明の効果］
上述のような装置構成において、以上のような処理に従って制御を行なうことによって、投写映像表示装置において、シャッター機構の動作にともなって映像に視覚効果が積極的に付与される。これによって、シャッター機構の動作が見えてしまうことを防止できるとともに、映像の明るさの急激な変化を抑制することができるので、視聴者に与える違和感を低減することが可能となる。
【００７７】
なお、上述の実施の形態においては、光変調素子としてＤＭＤを採用した例について説明したが、光変調素子として液晶パネルを用いた液晶パネル型の投写映像表示装置についても適用することができる。
【００７８】
なお、本実施の形態においては、視覚効果としてフェードイン，フェードアウト効果を用いる構成を例として示したが、視覚効果としてはこれに限定されず、これに代えて、たとえば、ワイプ効果、モザイク効果、カットイン効果などの公知の視覚効果を用いることも可能である。
【００７９】
また、視覚効果の実行タイミングについては、本実施の形態のようにシャッター機構の動作の前または後に実施する場合だけでなく、視覚効果の種類に応じてシャッター機構の動作とともに実施するようにしてもよい。
【００８０】
なお、本実施の形態における「投写レンズ２２」は、本発明の「投写部」の一例である。また、本実施の形態における「シャッター機構３０」は、本発明の「光遮断部」の一例である。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８２】
１  光学エンジン、１０  光源ランプ、１２  コンデンサレンズ、１４  カラーホイール、１６  ロッドインテグレータ、１８  光変調素子、２０  ＴＩＲプリズム、２２  投写レンズ、２４  光源部、３０  シャッター機構、５０  設定部、１００  制御部、１１０  操作信号入力部、１２０  シャッター制御部、１３０  映像信号入力部、１４０  映像調整部、１４２  回転軸、１４４，１４６，１４８  カラーフィルタ、１５０  表示制御部、Ｓ  投写面。
【図１】
0005793691.tif 000002
【図２】
0005793691.tif 000003
【図３】
0005793691.tif 000004
【図４】
0005793691.tif 000005
【図５】
0005793691.tif 000006
【図６】
0005793691.tif 000007